(57)【要約】【課題】薄型化、小型化が可能であり、しかも、装着した電気部品を確実に保持できるソケット装置を提供する。【解決手段】電気部品４が装着されるハウジング１に、電気部品４を保持して抜け止めする抜け止め部材３を備え、抜け止め部材３は、ハウジング１の外側面に沿って配設された薄板状の基板部３ａと、基板部３ａに弾性変形可能に設けられた弾性アーム部３ｄとからなり、弾性アーム部３ｄを、基板部３ａの横方向に長尺状に延設すると共に、弾性アーム部３ｄの先端側に電気部品４の上方に係合して抜け止めする係合部３ｅを形成し、電気部品４が装着される際には、弾性アーム部３ｄが外方向へ弾性変形すると共に、電気部品４が収納部１ａに装着された時には、係合部３ｅが電気部品４の上方に係合して抜け止めされるようにした。【選択図】        図４
2005032567.tif 000002
【特許請求の範囲】
【請求項１】
電気部品が装着される凹状の収納部を有するハウジングと、このハウジングの収納部内に並設され、前記電気部品の外部接触片と接続される複数の端子部材と、前記電気部品を前記収納部に保持して抜け止めする抜け止め部材とを備え、前記抜け止め部材は、前記ハウジングの外側面に沿って配設された薄板状の基板部と、この基板部に弾性変形可能に設けられた弾性アーム部とからなり、前記弾性アーム部を、前記基板部の横方向に長尺状に延設すると共に、前記弾性アーム部の先端側に前記電気部品の上方に係合して抜け止めする係合部を形成し、前記電気部品が装着される際には、前記弾性アーム部が外方向へ弾性変形すると共に、前記電気部品が前記収納部に装着された時には、前記係合部が前記電気部品の上方に係合して抜け止めされることを特徴とするソケット装置。
【請求項２】
前記ハウジングは、４辺を有する方形状に形成され、前記抜け止め部材は、前記ハウジングの対向する４辺の外側面の内、少なくとも対向する２面にそれぞれ配設されていることを特徴とする請求項１記載のソケット装置。
【請求項３】
前記抜け止め部材を、導電性の金属板で形成し、この金属板を折り曲げることにより、前記ハウジングの外側面に沿って配設したことを特徴とする請求項２記載のソケット装置。
【請求項４】
前記複数の端子部材は、前記凹状の収納部の周縁部に並設されており、前記抜け止め部材の基板部は、前記端子部材の近傍に配設されて、前記端子部材を外方から取り囲むように前記ハウジングの外周面に沿って配設されると共に、前記基板部をソケット装置が実装される回路基板のグランドに接地したことを特徴とする請求孔３記載のソケット装置。
【請求項５】
前記抜け止め部材の係合部には傾斜面が形成されており、前記電気部品が装着される際には、前記傾斜面に沿って前記電気部品が挿入されることにより、前記弾性アーム部が外方向へ弾性変形することを特徴とする請求項１乃至４の何れかに記載のソケット装置。
【発明の詳細な説明】
【０００１】
【発明の属する技術分野】
本発明は、ＩＣチップ、ＩＣモジュール等との接続や保持に使用されるソケット装置の構造に関する。
【０００２】
【従来の技術】
従来のＩＣチップ等を保持するソケット装置としては、装着するＩＣを保持するために、ハウジングのコーナ部分に回動可能なラッチアーム部材を配設して、ハウジングにＩＣを装着した後に、このラッチアーム部材でＩＣを上方から抑えつけて保持するようにした構成のものが知られている（例えば、特許文献１参照）。
【０００３】
以下、従来のソケット装置の構造を図に基づいて説明する。図１１は従来のソケット装置の平面図、図１２はラッチアームによる保持状態を示す側面図である。
【０００４】
図において、基盤３１は合成樹脂製で略方形をしており、その略中央に開口するＩＣ収容部３２を有する。このＩＣ収容部３２は略方形をしており、このＩＣ収容部３２に略方形のＩＣ３３を収容する。このＩＣ収容部３２に対向する４辺には台座３４が設けられ、この台座３４にＩＣ３３のリードを支持するものとなっている。
【０００５】
前記基盤３１の各コーナ部にはラッチアーム３６を配し、このラッチアーム３６を貫通室３８内に収容し、軸部３５をもって回動可能に支持している。ラッチアーム３６はＩＣ収容部３２の対角線上に沿って斜めに延在しており、軸部３５を支点として対角線上に上下に回動する。そして、下方回動時には、ＩＣ収容部３２内に収容されたＩＣ３３の各コーナ部に係合し、上方回動時には、該係合を解除するように形成されている。また、ラッチアーム３６の内端である、先端には上記ＩＣ３３に係脱する係合爪３６ａが設けられている。
【０００６】
また、ラッチアーム３６の軸支部から後方へバネ片３６ｂを突設してあり、このバネ片３６ｂは上記対角線上に沿って延び、その自由端部３６ｄは貫通室３８の後部内壁に形成した傾斜面からなるバネ受部３９に当接されている。このバネ片３６ｂはラッチアーム３６が上方回動したときに、自由端部３６ｄがバネ受部３９に当接して回動を阻止されることにより反り曲がり弾力を蓄えるものとなる。
【０００７】
ラッチアーム３６の開閉手段としては、冶具により弧形曲部からなるの受圧部３６ｅを押圧することでラッチアーム３６を上下に回動して行うものとされ、受圧部３６ｅが押し上げられたときにラッチアーム３６が上方へ回動して解除状態を形成する。この状態でＩＣ３３のＩＣ収容部３２への装着及び取り出しが行われる。
【０００８】
次いで、受圧部３６ｅへの押圧力を取り除くと、ラッチアーム３６はバネ片３６ｂの復元力により自動的に下方へ回動しＩＣ３３のコーナ部上面に係合する。これによってＩＣ３３が基盤３１に保持されるものとなる。このとき、バネ片３６ｂの弾力により係止爪３６ａをＩＣ３３のコーナ部に軽く押し当て係合を確保している。
【０００９】
【特許文献１】
特開平５−６５１８６号公報
【００１０】
【発明が解決しようとする課題】
しかしながら、上記した従来のソケット装置の構成においては、ＩＣ３３を基盤３１のＩＣ収容部３２に保持させるのに、基盤３１に回動可能に軸支されたラッチアーム３６を使用する構成のため、基盤３１にはラッチアーム３６を収容するスペースが必要となり、ソケット装置の小型化、薄型化が要求される場合には、その対応が困難であるという問題があった。
【００１１】
従って、本発明では上述した問題点を解決し、薄型化、小型化が可能であり、しかも、装着した電気部品を確実に保持できるソケット装置を提供することを目的とする。
【００１２】
【課題を解決するための手段】
上記課題を解決するために本発明では第１の解決手段として、電気部品が装着される凹状の収納部を有するハウジングと、このハウジングの収納部内に並設され、前記電気部品の外部接触片と接続される複数の端子部材と、前記電気部品を前記収納部に保持して抜け止めする抜け止め部材とを備え、前記抜け止め部材は、前記ハウジングの外側面に沿って配設された薄板状の基板部と、この基板部に弾性変形可能に設けられた弾性アーム部とからなり、前記弾性アーム部を、前記基板部の横方向に長尺状に延設すると共に、前記弾性アーム部の先端側に前記電気部品の上方に係合して抜け止めする係合部を形成し、前記電気部品が装着される際には、前記弾性アーム部が外方向へ弾性変形すると共に、前記電気部品が前記収納部に装着された時には、前記係合部が前記電気部品の上方に係合して抜け止めされる構成とした。
【００１３】
また、第２の解決手段として、前記ハウジングは、４辺を有する方形状に形成され、前記抜け止め部材は、前記ハウジングの対向する４辺の外側面の内、少なくとも対向する２面にそれぞれ配設されている構成とした。
また、第３の解決手段として、前記抜け止め部材を、導電性の金属板で形成し、この金属板を折り曲げることにより、前記ハウジングの外側面に沿って配設した構成とした。
【００１４】
また、第４の解決手段として、前記複数の端子部材は、前記凹状の収納部の周縁部に並設されており、前記抜け止め部材の基板部は、前記端子部材の近傍に配設されて、前記端子部材を外方から取り囲むように前記ハウジングの外周面に沿って配設されると共に、前記基板部をソケット装置が実装される回路基板のグランドに接地した構成とした。
また、第５の解決手段として、前記抜け止め部材の係合部には傾斜面が形成されており、前記電気部品が装着される際には、前記傾斜面に沿って前記電気部品が挿入されることにより、前記弾性アーム部が外方向へ弾性変形する構成とした。
【００１５】
【発明の実施の形態】
以下、本発明の実施形態を図１乃至図１０に示す。図１は本発明のソケット装置の平面図、図２はソケット装置の端子部材の一部を破断して示す正面図、図３はソケット装置の抜け止め部材の一部を破断して示す側面図、図４はＩＣモジュールを装着した状態を示す平面図、図５はＩＣモジュールを装着した状態で端子部材の一部を破断して示す正面図、図６はＩＣモジュールを装着した状態で抜け止め部材の一部を破断して示す側面図、図７は抜け止め部材が撓んだ状態を示す側面図、図８は抜け止め部材を示す斜視図、図９はＩＣモジュールを示す平面図、図１０はＩＣモジュールを示す正面図である。
尚、図４においては、一部、抜け止め部材が撓んだ状態も便宜的に示している。
【００１６】
図において、ハウジング１は、合成樹脂などの絶縁材からなり、上面が開口された凹状の収納部１ａを有する方形の箱型に形成されている。この凹状の収納部１ａの４辺周縁部には、複数の端子部材２がそれぞれ対向した状態で並設されて取り付けられている。
【００１７】
前記端子部材２は、導電性の金属板からなり、ハウジング１に保持される平板状の基部と、この基部の一端側にＵ字状に屈曲されて基部と平行に折り曲げられて形成された接点板２ａと、他端側に同じくＬ字状に屈曲されてその先端がハウジング１の底面外方へ延出された接続板２ｂとを有している。また、前記接点板２ａの先端側はさらに収納部１ａの内方へ屈曲されており、この屈曲片２ｃが後述するＩＣモジュール４の外部接触片４ｃと接触して導通されるものとなっている。
【００１８】
抜け止め部材３は、薄板状の導電性の金属板からなり、この抜け止め部材３には４枚連続して折り曲げることにより方形状に形成された基板部３ａが設けられている。この抜け止め部材３は、それぞれの基板部３ａが方形状のハウジング１の外方を囲むように、ハウジング１の４辺の外側面に沿って配設されている。
また、基板部３ａの上面側には、それぞれの基板部３ａを連結する桟部３ｂが形成されており、この桟部３ｂが、ハウジング１の収納部１ａの外側部上面に係合されて抜け止め部材３がハウジング１に取り付けられるものとなっている。
【００１９】
また、少なくとも対向する２つの基板部３ａの上面側には、Ｌ字状のスリット３ｃを介して弾性変形可能なように、横方向（後述するＩＣモジュール４の挿入方向とは直交する方向）に長尺状に延設された弾性アーム部３ｄが形成されている。この弾性アーム部３ｄは、基板部３ａの長手方向となる横方向に沿って長尺状となるように形成されており、ハウジング１の凹状の収納部１ａの形成方向（ＩＣモジュール４の挿入方向）に対して直交する方向に弾性変形し易く形成されている。尚、この弾性アーム部３ｄは、４つの基板部３ａの全てに形成するようにしてもよい、
【００２０】
このように、弾性アーム部３ｄを、ハウジング１の対向する４辺の外側面の内、少なくとも対向する２面にそれぞれ配設するようにすれば、互いに対向する方向に弾性アームの弾性力が作用するので、後述するＩモジュール４を抜け止め部材３に確実に保持することができる。
また、抜け止め部材３を、導電性の金属板で形成し、金属板を折り曲げることにより、ハウジング１の外側面に沿って配設するようにしたので、薄板状に形成しても弾性力が確実に得られると共に、加工が容易で安価対応が可能となっている。
【００２１】
また、この弾性アーム部３ｄの自由端側でハウジング１の上面側には、収納部１ａに挿入されるＩＣモジュール４の上方に係合して抜け止めする係合部３ｅが形成されている。この係合部３ｅは、弾性アーム部３ｄから折り曲げられて収納部１ａの底面側へ屈曲されて形成されており、この係合部３ｅは収納部１ａの底面中央に向かって傾斜する傾斜面３ｆを有するように形成されている。この傾斜面３ｆを設けることによりＩＣモジュール４が挿入された際、弾性アーム部３ｄが傾斜面３ｆに沿ってハウジングの外方へ弾性変形されて撓むものとなる。
傾斜面３ｆを設けることにより、簡単な構成で弾性アーム部３ｄを弾性変形させることができるので、ＩＣモジュール４と抜け止め部材３との確実な係合力が得られるものとなる。
【００２２】
また、抜け止め部材３の基板部３ａの下面側には、下方へ突出した接地片３ｇが設けられており、この接地片３ｇが、ソケット装置が実装される回路基板のグランドに接地されるものとなっている。
この場合、ハウジング１に並設された複数の端子部材２は、凹状の収納部１ａの周縁部に並設されており、抜け止め部材３の基板部３ａは、端子部材２の近傍に配設されて、端子部材２を外方から取り囲むようにハウジング１の外周面に沿って配設されるものとなっていることから、抜け止め部材３がシールド板として働くので、端子部材２に対するシールド効果を高めることができるものとなっている。
【００２３】
電気部品の一例としてのカメラモジュールであるＩＣモジュール４は、内部に半導体（ＩＣ）などの素子が集積された回路部品であり、方形状の基台部４ａと、この基台部４ａの上面側に突出された円形状のレンズ部４ｂとを有している。また、基台部４ａには、４つの側面の下端側から底面に連続した複数の外部接触片４ｃが設けられており、この外部接触片４ｃがハウジング１の収納部１ａの複数の端子部材２と接続されるものとなっている。
【００２４】
また、基台部４ａの、対角線上に対向する上面側の２角部には係止溝部４ｄが設けられている。この係止溝部４ｄに、抜け止め部材３の弾性アーム部３ｄに形成された係合部３ｅが係合されて、ＩＣモジュール４がハウジング１の収納部１ａに保持されるものとなっている。
尚、レンズ部４ｂは、携帯電話機やデジタルカメラなどの撮影機能として用いられる場合のカメラレンズとして使用されるものである。
【００２５】
次に、上記構成のソケット装置にＩＣモジュール４を装着する場合の動作を図４ないし図７を用いて説明する。
まず、ハウジング１の収納部１ａの上方から、ＩＣモジュール４を基台部４ａの底面側を下にして挿入する。この時、ＩＣモジュール４の基台部４ａの底面及び側面が、抜け止め部材３の弾性アーム部３ｄの自由端側に形成された係合部３ｅの傾斜面３ｆに沿って下方へ移動し、この移動に伴って、図４、図７に部分的に示すように弾性アーム部３ｄが自身の持つばね性により外方へ弾性変形して撓むものとなる。
この時、弾性アーム部３ｄは、抜け止め部材３の基板部３ａの横方向に沿って長尺状に形成されているので、十分な弾性を有して撓むものとなる。
【００２６】
そして、ＩＣモジュール４の上面側に形成された係止溝部４ｄに、前記係合部３ｅの先端部が達すると、図４、図６に部分的に示すように前記係合部３ｅが係止溝部４ｄに落ち込むことにより係合されるものとなる。
この時、前記係合部３ｅは、弾性アーム部３ｄ自身の持つばね性によって内方、すなわち、ＩＣモジュール４の係止溝部４ｄ側に付勢されるものとなり、ばね性を持って弾圧され、ＩＣモジュール４は確実にハウジング１の収納部１ａに保持されるものとなる。
【００２７】
そして、ＩＣモジュール４が収納部１ａに保持されると、図５に示すように、ＩＣモジュール４の基台部４ａに設けられた複数の外部接触片４ｃが、収納部１ａの周縁部に配設された、複数の端子部材２の接点板２ａの先端に設けられた屈曲片２ｃと接触することにより、電気的に導通されるものとなる。
この時、端子部材２の接点板２ａは、Ｕ字状に折り曲げられて形成されており、自身の持つばね性で屈曲片２ｃを外部接触片４ｃに弾接するものとなり、確実に接触し、安定した接触が得られるものとなっている。
【００２８】
上記した本発明の実施例によれば、抜け止め部材３を、ハウジング１の外側面に沿って配設された薄板状の基板部３ａと、この基板部３ａに弾性変形可能に設けられた弾性アーム部３ｄとで形成して、この弾性アーム部３ｄを、基板部３ａの横方向（ＩＣモジュール４の挿入方向とは直交する方向）に長尺状に延設すると共に、弾性アーム部３ｄの先端側にＩＣモジュール４の係止溝部４ｄに係合して抜け止めする係合部３ｅを形成して、ＩＣモジュール４が装着される際には、弾性アーム部３ｄが外方向へ弾性変形すると共に、ＩＣモジュール４が収納部１ａに装着された時には、係合部３ｅがＩＣモジュール４の係止溝部４ｄに係合して抜け止めされることから、ＩＣモジュール４をソケット装置に装着して保持する際には、抜け止めを行う係合部３ｅを有する弾性アーム部３ｄを、ハウジング１の外側面に沿って横方向に、且つ、長尺状に伸ばして形成したので、弾性アーム部３ｄの長さを十分に確保し、係合部３ｅの弾性力を維持しながら寸法を小さくすることができるため、ソケット装置の小型化、薄型化が図れるものとなっている。
【００２９】
尚、上記の実施例においては、抜け止め部材３の基板部３ａの下面側に、接地片３ｇを形成し、この接地片３ｇを、ソケット装置が実装される回路基板のグランドに接地するようにしており、これに加えて、ＩＣモジュール４の係止溝部４ｄにも接地用の接触片（図示せず）を形成し、この接地用の接触片と抜け止め部材３の弾性アーム部３ｄの係合部３ｅとを接続して、ＩＣモジュール４を直接ソケット装置が実装される回路基板のグランドに接地するようにしてもよい。
【００３０】
【発明の効果】
以上説明したように、本発明のソケット装置は、電気部品が装着される凹状の収納部を有するハウジングと、ハウジングの収納部内に並設され、電気部品の外部接触片と接続される複数の端子部材と、電気部品を収納部に保持して抜け止めする抜け止め部材とを備え、抜け止め部材は、ハウジングの外側面に沿って配設された薄板状の基板部と、基板部に弾性変形可能に設けられた弾性アーム部とからなり、弾性アーム部を、基板部の横方向に長尺状に延設すると共に、弾性アーム部の先端側に電気部品の上方に係合して抜け止めする係合部を形成し、電気部品が装着される際には、弾性アーム部が外方向へ弾性変形すると共に、電気部品が収納部に装着された時には、係合部が電気部品の上方に係合して抜け止めされることから、電気部品をソケット装置に装着して保持する際に、抜け止めを行う係合部を有する弾性アーム部を、ハウジングの外側面に沿って横方向に、且つ、長尺状に伸ばして形成したので、弾性アーム部の長さを十分に確保し、係合部の弾性力を維持しながら寸法を小さくすることができるため、ソケット装置の小型化、薄型化が図れる。
【００３１】
また、ハウジングは、４辺を有する方形状に形成され、抜け止め部材は、ハウジングの対向する４辺の外側面の内、少なくとも対向する２面にそれぞれ配設されていることから、互いに対向する方向に弾性アームの弾性力が作用するので、電気部品を抜け止め部材に確実に保持することができる。
また、抜け止め部材を、導電性の金属板で形成し、金属板を折り曲げることにより、ハウジングの外側面に沿って配設したことから、薄板状に形成しても弾性力が確実に得られると共に、加工が容易で安価対応が可能となる。
【００３２】
また、複数の端子部材は、凹状の収納部の周縁部に並設されており、抜け止め部材の基板部は、端子部材の近傍に配設されて、端子部材を外方から取り囲むようにハウジングの外周面に沿って配設されると共に、基板部をソケット装置が実装される回路基板のグランドに接地したことから、抜け止め部材がシールド板として働くので、端子部材に対するシールド効果を高めることができる。
また、抜け止め部材の係合部には傾斜面が形成されており、電気部品が装着される際には、傾斜面に沿って電気部品が挿入されることにより、弾性アーム部が外方向へ弾性変形することから、簡単な構成で弾性アーム部を弾性変形させることができるので、電気部品と抜け止め部材との確実な係合力が得られる。
【図面の簡単な説明】
【図１】本発明の一実施例であるソケット装置を示す平面図である。
【図２】本発明のソケット装置の端子部材の一部を破断して示す正面図である。
【図３】本発明のソケット装置の抜け止め部材の一部を破断して示す側面図である。
【図４】本発明のソケット装置にＩＣモジュールを装着した状態を示す平面図である。
【図５】本発明のソケット装置にＩＣモジュールを装着した状態で端子部材の一部を破断して示す正面図である。
【図６】本発明のソケット装置にＩＣモジュールを装着した状態で抜け止め部材の一部を破断して示す側面図である。
【図７】本発明のソケット装置の抜け止め部材が撓んだ状態を示す側面図である。
【図８】本発明のソケット装置の抜け止め部材を示す斜視図である。
【図９】本発明のＩＣモジュールを示す平面図である。
【図１０】本発明のＩＣモジュールを示す正面図である。
【図１１】従来のソケット装置を示す平面図である。
【図１２】従来のソケット装置のラッチアームによる保持状態を示す側面図である。
【符号の説明】
１  ハウジング
１ａ  収納部
２  端子部材
２ａ  接点板
２ｂ  接続板
２ｃ  屈曲片
３  抜け止め部材
３ａ  基板部
３ｂ  桟部
３ｃ  スリット
３ｄ  弾性アーム部
３ｅ  係合部
３ｆ  傾斜面
３ｇ  接地片
４  ＩＣモジュール
４ａ  基台部
４ｂ  レンズ部
４ｃ  外部接触片
４ｄ  係止溝部
【図１】
2005032567.tif 000003
【図２】
2005032567.tif 000004
【図３】
2005032567.tif 000005
【図４】
2005032567.tif 000006
【図５】
2005032567.tif 000007
【図６】
2005032567.tif 000008
【図７】
2005032567.tif 000009
【図８】
2005032567.tif 000010
【図９】
2005032567.tif 000011
【図１０】
2005032567.tif 000012
【図１１】
2005032567.tif 000013
【図１２】
2005032567.tif 000014